(57)【要約】【課題】ユーザによるデータの記録不能な記録媒体上に記録されたユニーク識別情報を用いて、記録媒体毎に対応するサービスを提供する。【解決手段】ディスク１００にユニークな識別情報が予め記録される。識別情報は、ディスク１００の購入時などにユーザの利用権と共にサーバ２０に登録される。情報端末装置３０によるディスク１００の再生時に識別情報が読み出され、インターネット３１を介してサーバ２０に送信される。サーバ２０では、この識別情報に対応する利用権に基づき、ディスク１００の再生を制御する鍵を生成し、ディスク１００に対するユーザの権利情報と共に端末装置３０に送信する。端末装置３０では、サーバ２０から送信された鍵及び権利情報に基づきディスク１００の再生が制御される。ディスク１００の利用権が識別情報に基づきディスク１００毎に管理され、ディスク１００毎に異なるサービスが提供可能である。【選択図】  図６
2004158082.tif 000002
【特許請求の範囲】
【請求項１】
外部からデータの記録不能なデータ記録媒体に該データ記録媒体毎にユニークな識別情報を記録する識別情報記録のステップと、
上記識別情報記録のステップで上記データ記録媒体に記録された上記識別情報と、該データ記録媒体の管理情報とを関連付けて記憶する記憶のステップと、
ユーザにより上記データ記録媒体が再生される際に、該データ記録媒体から上記識別情報を読み出す識別情報読み出しのステップと、
上記識別情報読み出しのステップで読み出された上記識別情報を通信網に向けて送信する送信のステップと、
上記送信のステップで送信された上記識別情報を上記通信網を介して受信し、受信された該識別情報に基づき上記記憶のステップにより該識別情報に関連付けられて記憶された上記管理情報を読み出す管理情報読み出しのステップと
を有し、
上記管理情報読み出しのステップで読み出された上記管理情報に応じたサービスを提供するようにしたことを特徴とする情報サービス方法。
【請求項２】
請求項１に記載の情報サービス方法において、
上記データ記録媒体は、光を照射させた反射光に基づき再生信号を得る光ディスクであることを特徴とする情報サービス方法。
【請求項３】
請求項１に記載の情報サービス方法において、
上記管理情報は、上記データ記録媒体に記録されたコンテンツデータに対するユーザの利用権を示す利用可能情報を含むことを特徴とする情報サービス方法。
【請求項４】
請求項３に記載の情報サービス方法において、
上記利用可能情報は、上記データ記録媒体に記録されたコンテンツデータに対する再生可能回数、再生有効期限およびコピー可能回数のうち少なくとも１を含むことを特徴とする情報サービス方法。
【請求項５】
請求項３に記載の情報サービス方法において、
上記データ記録媒体がユーザに入手される際に上記利用可能情報を設定する利用可能情報設定のステップをさらに有し、
上記利用可能情報設定のステップで設定された上記利用可能情報に基づき上記記憶のステップで上記識別情報と関連付けて記憶される上記管理情報が設定されることを特徴とする情報サービス方法。
【請求項６】
請求項１に記載の情報サービス方法において、
上記データ記録媒体がユーザに利用される際に該データ記録媒体から上記識別情報が読み出され、読み出された該識別情報と該利用の形態とに基づき上記管理情報が書き換えられることを特徴とする情報サービス方法。
【請求項７】
請求項１に記載の情報サービス方法において、
上記管理情報読み出しのステップで読み出された上記管理情報に基づき上記データ記録媒体に記録されたコンテンツデータを再生可能とする鍵を発行する鍵発行のステップをさらに有することを特徴とする情報サービス方法。
【請求項８】
請求項７に記載の情報サービス方法において、
上記鍵発行のステップにより発行された上記鍵を、上記データ記録媒体を上記再生する側に、上記通信網を介して送信するようにしたことを特徴とする情報サービス方法。
【請求項９】
請求項７に記載の情報サービス方法において、
上記鍵発行のステップにより発行された上記鍵に対して、上記管理情報に基づき上記データ記録媒体に記録されたコンテンツデータに対する利用権情報を付加して通信網を介して送信するようにしたことを特徴とする情報サービス方法。
【請求項１０】
外部からデータの記録不能なデータ記録媒体に該データ記録媒体毎にユニークな識別情報を記録する識別情報記録装置と、
上記データ記録媒体を再生する再生手段と、
上記再生手段による再生出力から上記識別情報を読み出す識別情報読み出し手段と
を有する情報端末装置と、
上記識別情報と該データ記録媒体の管理情報とを関連付けて記憶する記憶手段を有するサーバ装置と、
上記情報端末装置と上記サーバ装置とを接続する通信網と
を備え、
上記サーバ装置は、上記識別情報読み出し手段により読み出され上記通信網を介して送信された上記識別情報に基づき上記記憶手段に記憶された上記管理情報を読み出し、該管理情報に基づくサービスを上記情報端末装置に対して提供するようにしたことを特徴とする情報サービス装置。
【請求項１１】
請求項１０に記載の情報サービス装置において、
上記データ記録媒体は、光を照射させた反射光に基づき再生信号を得る光ディスクであることを特徴とする情報サービス装置。
【請求項１２】
請求項１０に記載の情報サービス装置において、
上記管理情報は、上記データ記録媒体に記録されたコンテンツデータに対するユーザの利用権を示す利用可能情報を含むことを特徴とする情報サービス装置。
【請求項１３】
請求項１２に記載の情報サービス装置において、
上記利用可能情報は、上記データ記録媒体に記録されたコンテンツデータに対する再生可能回数、再生有効期限およびコピー可能回数のうち少なくとも１を含むことを特徴とする情報サービス装置。
【請求項１４】
請求項１０に記載の情報サービス装置において、
上記データ記録媒体がユーザに入手されるときに該データ記録媒体に記録された上記識別情報を読み出して上記サーバ装置に通信網を介して送信する識別情報読み出し装置をさらに有することを特徴とする情報サービス装置。
【請求項１５】
請求項１４に記載の情報サービス装置において、
上記識別情報読み出し装置は、上記データ記録媒体に対する上記ユーザの利用権を設定し、該利用権を上記識別情報と共に上記サーバ装置に送信するようにしたことを特徴とする情報サービス装置。
【請求項１６】
請求項１０に記載の情報サービス装置において、
上記データ記録媒体の再生時に該データ記録媒体から読み出された上記識別情報と、該データ記録媒体の利用形態を示す情報とが上記情報端末装置から通信網を介して上記サーバ装置に送信され、サーバ装置では、送信された該識別情報と該利用形態を示す情報とに基づき上記管理情報を書き換えるようにしたことを特徴とする情報サービス装置。
【請求項１７】
請求項１０に記載の情報サービス装置において、
上記情報端末装置は、上記再生手段で上記データ記録媒体を再生する際に、上記識別情報読み出し手段により読み出された上記識別情報を上記サーバ装置に通信網を介して送信し、上記サーバ装置は、送信された該識別情報に基づき上記記憶手段から読み出した上記管理情報に基づき上記データ記録媒体に記録されたコンテンツデータを再生可能とする鍵を発行して該鍵を通信網を介して上記情報端末装置に送信するようにしたことを特徴とする情報サービス装置。
【請求項１８】
請求項１７に記載の情報サービス装置において、
上記鍵に対して、上記管理情報に基づき上記データ記録媒体に記録されたコンテンツデータに対する利用権情報を付加して上記送信するようにしたことを特徴とする情報サービス装置。
【請求項１９】
請求項１０に記載の情報サービス装置において、
上記管理情報の一部を上記情報端末装置側が持つようにしたことを特徴とする情報サービス装置。
【請求項２０】
ユニークな識別情報が記録されてなる外部からデータの記録不能なデータ記録媒体に記録されたコンテンツデータの再生または他の記録媒体への記録を制御する再生または記録制御方法において、
ユニークな識別情報が記録されてなるユーザによるデータの記録不能なデータ記録媒体から上記識別情報を読み出す識別情報読み出しのステップと、
上記識別情報読み出しのステップで読み出された上記識別情報を、予め上記識別情報と該識別情報が記録された上記データ記録媒体の管理情報とが関連付けられて記憶手段に記憶されたサーバ装置へ送信する識別情報送信のステップと、
上記識別情報送信のステップで送信された上記識別情報に関連付けられた上記管理情報に基づく上記サーバ装置からの応答を受信する受信のステップと
を有し、
上記受信のステップで受信された上記サーバ装置からの応答に応じて、上記データ記録媒体からコンテンツデータを再生するか否か、または、上記データ記録媒体から再生されたコンテンツデータを他の記録媒体へ記録するか否かを制御するようにしたことを特徴とする再生または記録制御方法。
【請求項２１】
請求項２０に記載の再生または記録制御方法において、
上記データ記録媒体は、光を照射させた反射光に基づき再生信号を得る光ディスクであることを特徴とする再生または記録制御方法。
【請求項２２】
請求項２０に記載の再生または記録制御方法において、
上記管理情報は、上記データ記録媒体に記録されたコンテンツデータに対するユーザの利用権を示す利用可能情報を含むことを特徴とする再生または記録制御方法。
【請求項２３】
請求項２２に記載の再生または記録制御方法において、
上記利用可能情報は、上記データ記録媒体に記録されたコンテンツデータに対する再生可能回数、再生有効期限およびコピー可能回数のうち少なくとも１を含むことを特徴とする再生または記録制御方法。
【請求項２４】
請求項２０に記載の再生または記録制御方法において、
上記サーバ装置からの上記応答は、上記識別情報送信のステップで送信された上記識別情報に関連付けられた上記管理情報に基づき上記サーバ装置で発行された、上記データ記録媒体に記録されたコンテンツデータの再生または他の記録媒体への記録を制御する鍵を含むことを特徴とする再生または記録制御方法。
【請求項２５】
請求項２４に記載の再生または記録制御方法において、
上記鍵には、さらに、上記管理情報に基づき上記データ記録媒体に記録されたコンテンツデータに対する利用権情報が付加されていることを特徴とする再生または記録制御方法。
【請求項２６】
ユニークな識別情報が記録されてなる外部からデータの記録不能なデータ記録媒体に記録されたコンテンツデータの再生または他の記録媒体への記録を制御する再生および／または記録制御装置において、
ユニークな識別情報が記録されてなるユーザによるデータの記録不能なデータ記録媒体から上記識別情報を読み出す識別情報読み出し手段と、
上記識別情報読み出し手段で読み出された上記識別情報を、予め上記識別情報と該識別情報が記録された上記データ記録媒体の管理情報とが関連付けられて記憶手段に記憶されたサーバ装置へ送信する識別情報送信手段と、
上記識別情報送信のステップで送信された上記識別情報に関連付けられた上記管理情報に基づく上記サーバ装置からの応答を受信する受信手段と
を有し、
上記受信手段で受信された上記サーバ装置からの応答に応じて、上記データ記録媒体からコンテンツデータを再生するか否か、または、上記データ記録媒体から再生されたコンテンツデータを他の記録媒体へ記録するか否かを制御するようにしたことを特徴とする再生および／または記録制御装置。
【請求項２７】
請求項２６に記載の再生および／または記録制御装置において、
上記データ記録媒体は、光を照射させた反射光に基づき再生信号を得る光ディスクであることを特徴とする再生および／または記録制御装置。
【請求項２８】
請求項２６に記載の再生および／または記録制御装置において、
上記管理情報は、上記データ記録媒体に記録されたコンテンツデータに対するユーザの利用権を示す利用可能情報を含むことを特徴とする再生または記録装置。
【請求項２９】
請求項２８に記載の再生および／または記録制御装置において、
上記利用可能情報は、上記データ記録媒体に記録されたコンテンツデータに対する再生可能回数、再生有効期限およびコピー可能回数のうち少なくとも１を含むことを特徴とする再生および／または記録制御装置。
【請求項３０】
請求項２６に記載の再生および／または記録制御装置において、
上記サーバ装置からの上記応答は、上記識別情報送信手段で送信された上記識別情報に関連付けられた上記管理情報に基づき上記サーバ装置で発行された、上記データ記録媒体に記録されたコンテンツデータの再生または他の記録媒体への記録を制御する鍵を含むことを特徴とする再生または記録装置。
【請求項３１】
請求項３０に記載の再生および／または記録制御装置において、
上記鍵には、さらに、上記管理情報に基づき上記データ記録媒体に記録されたコンテンツデータに対する利用権情報が付加されていることを特徴とする再生および／または記録制御装置。
【請求項３２】
請求項２６に記載の再生および／または記録制御装置において、
上記管理情報の一部を持つようにしたことを特徴とする再生および／または記録制御装置。
【発明の詳細な説明】
【０００１】
【発明の属する技術分野】
この発明は、固有の識別情報を有するデータ記録媒体、ならびに、固有の識別情報を有するデータ記録媒体を用いたデータ記録方法、情報端末装置、情報サービス方法および情報サービス装置に関する。
【０００２】
【従来の技術】
従来より、所謂ＣＤファミリーなどの、予めコンテンツデータが記録され、且つ、一般のユーザによる記録が行えないデータ記録媒体が普及している。今日広く普及しているコンパクトディスク（Ｃｏｍｐａｃｔ  Ｄｉｓｃ；ＣＤ）  の規格は、コンパクトディスクオーディオ（ＣＤ−ＤＡ）と呼ばれ、規格書（Ｒｅｄ  Ｂｏｏｋ）に記載の規格に基づくものである。この規格書を基礎として、ＣＤ−ＲＯＭをはじめとする、種々のフォーマットが規格化され、ＣＤファミリーが構成される。以下の説明では、単にＣＤと称した場合には、ＣＤファミリーに含まれる各種のフォーマットのディスクを総称するものとする。
【０００３】
ＣＤは、マスタディスクを用いたスタンパにより製作され、大量生産が容易であるため、広く一般的に普及している。一方で、ＣＤは、スタンパにより製作されるために、データの追記が困難であった。そのため、従来では、ＣＤの個々を識別するための識別情報をＣＤ上に記録することが行われていなかった。そのため、ＣＤの個体を識別することができず、そのＣＤを用いてユーザに提供可能なサービスは、自ずと限られていた。
【０００４】
これを解決するために、ＣＤに対してデータ記録媒体を個体毎に識別するための識別情報を付加する技術が提案されている。また、ＣＤ−ＲＷ（Ｃｏｍｐａｃｔ  Ｄｉｓｃ−ＲｅＷｒｉｔａｂｌｅ）などのような、ユーザによるデータの記録が可能なデータ記録媒体においては、特許文献１に記載されるように、固有の識別情報であるメディアＩＤをディスク上に記録することが提案されている。
【０００５】
【特許文献１】
特開平１１−２５０５７２号公報
【０００６】
【発明が解決しようとする課題】
従来では、ＣＤなどの、一般のユーザによるデータの記録ができないデータ記録媒体上に個別に記録される識別情報を用いて、データ記録媒体のそれぞれに対応するサービスを提供するシステムが存在しなかった。
【０００７】
そのため、例えばＣＤ上に暗号化により保護されたコンテンツデータが記録されているような場合でも、予め与えられた復号化鍵を人手で入力してコンテンツデータの暗号を復号化するしかなく、ＣＤ上に記録された識別情報をそのために用いることができなかった。
【０００８】
また例えば、ＣＤ上に記録されているコンテンツデータに対する権利情報を、ＣＤ上に記録された識別情報に基づき設定するようなことも、従来は行われていなかった。
【０００９】
現在では、ＣＤなどの、一般のユーザによるデータの記録ができないデータ記録媒体に記録されたコンテンツデータの権利を保護しつつも、ユーザが保有するコンテンツデータをユーザ個々の要望に応じて利用できるようなサービスを提供可能なシステムが求められている。
【００１０】
したがって、この発明の目的は、一般のユーザによるデータの記録ができないデータ記録媒体上に記録された識別情報を用いて、データ記録媒体のそれぞれに対応するサービスを提供できるような情報サービス方法および情報サービス装置、記録または再生制御方法、ならびに、記録または再生装置を提供することにある。
【００１１】
【課題を解決するための手段】
請求項１に記載の発明は、上述した課題を解決するために、外部からデータの記録不能なデータ記録媒体にデータ記録媒体毎にユニークな識別情報を記録する識別情報記録のステップと、識別情報記録のステップでデータ記録媒体に記録された識別情報と、データ記録媒体の管理情報とを関連付けて記憶する記憶のステップと、ユーザによりデータ記録媒体が再生される際に、データ記録媒体から識別情報を読み出す識別情報読み出しのステップと、識別情報読み出しのステップで読み出された識別情報を通信網に向けて送信する送信のステップと、送信のステップで送信された識別情報を通信網を介して受信し、受信された識別情報に基づき記憶のステップにより識別情報に関連付けられて記憶された管理情報を読み出す管理情報読み出しのステップとを有し、管理情報読み出しのステップで読み出された管理情報に応じたサービスを提供するようにしたことを特徴とする情報サービス方法である。
【００１２】
また、請求項１０に記載の発明は、外部からデータの記録不能なデータ記録媒体にデータ記録媒体毎にユニークな識別情報を記録する識別情報記録装置と、データ記録媒体を再生する再生手段と、再生手段による再生出力から識別情報を読み出す識別情報読み出し手段とを有する情報端末装置と、識別情報とデータ記録媒体の管理情報とを関連付けて記憶する記憶手段を有するサーバ装置と、情報端末装置とサーバ装置とを接続する通信網とを備え、サーバ装置は、識別情報読み出し手段により読み出され通信網を介して送信された識別情報に基づき記憶手段に記憶された管理情報を読み出し、管理情報に基づくサービスを情報端末装置に対して提供するようにしたことを特徴とする情報サービス装置である。
【００１３】
また、請求項２０に記載の発明は、ユニークな識別情報が記録されてなる外部からデータの記録不能なデータ記録媒体に記録されたコンテンツデータの再生または他の記録媒体への記録を制御する再生または記録制御方法において、ユニークな識別情報が記録されてなるユーザによるデータの記録不能なデータ記録媒体から識別情報を読み出す識別情報読み出しのステップと、識別情報読み出しのステップで読み出された識別情報を、予め識別情報と識別情報が記録されたデータ記録媒体の管理情報とが関連付けられて記憶手段に記憶されたサーバ装置へ送信する識別情報送信のステップと、識別情報送信のステップで送信された識別情報に関連付けられた管理情報に基づくサーバ装置からの応答を受信する受信のステップとを有し、受信のステップで受信されたサーバ装置からの応答に応じて、データ記録媒体からコンテンツデータを再生するか否か、または、データ記録媒体から再生されたコンテンツデータを他の記録媒体へ記録するか否かを制御するようにしたことを特徴とする再生または記録制御方法である。
【００１４】
また、請求項２６に記載の発明は、ユニークな識別情報が記録されてなる外部からデータの記録不能なデータ記録媒体に記録されたコンテンツデータの再生または他の記録媒体への記録を制御する再生および／または記録制御装置において、ユニークな識別情報が記録されてなるユーザによるデータの記録不能なデータ記録媒体から識別情報を読み出す識別情報読み出し手段と、識別情報読み出し手段で読み出された識別情報を、予め識別情報と識別情報が記録されたデータ記録媒体の管理情報とが関連付けられて記憶手段に記憶されたサーバ装置へ送信する識別情報送信手段と、識別情報送信のステップで送信された識別情報に関連付けられた管理情報に基づくサーバ装置からの応答を受信する受信手段とを有し、受信手段で受信されたサーバ装置からの応答に応じて、データ記録媒体からコンテンツデータを再生するか否か、または、データ記録媒体から再生されたコンテンツデータを他の記録媒体へ記録するか否かを制御するようにしたことを特徴とする再生および／または記録制御装置である。
【００１５】
上述したように、請求項１または１０に記載の発明は、外部からデータの記録不能なデータ記録媒体に記録されたデータ記録媒体毎にユニークな識別情報と、データ記録媒体の管理情報とを関連付けて記憶し、ユーザによりデータ記録媒体が再生される際に、データ記録媒体から読み出され通信網を介して送信された識別情報に基づき識別情報に関連付けられて記憶された管理情報を読み出して、管理情報に応じたサービスを提供するようにしているため、データ記録媒体毎にそれぞれ対応するサービスを提供することができる。
【００１６】
また、請求項２０または請求項２６に記載の発明は、ユニークな識別情報が記録されてなる外部からデータの記録不能なデータ記録媒体から読み出された識別情報を、予め識別情報と識別情報が記録されたデータ記録媒体の管理情報とが関連付けられて記憶されたサーバ装置へ送信し、サーバ装置へ送信された識別情報に関連付けられた管理情報に基づきサーバ装置から送信された応答に応じて、データ記録媒体からコンテンツデータを再生するか否か、または、データ記録媒体から再生されたコンテンツデータを他の記録媒体へ記録するか否かを制御するようにしているため、ユーザによるデータの記録不能なデータ記録媒体を用いて、データ記録媒体に記録されたコンテンツデータの再生または他の記録媒体への記録を、データ記録媒体毎に制御することができる。
【００１７】
【発明の実施の形態】
以下、この発明の実施の一形態について説明する。この発明では、著作権が存在するコンテンツデータと、個体を識別するための識別情報とが予め記録された、外部からデータの記録ができないデータ記録媒体（例えばＣＤとする）を用い、識別情報とコンテンツデータに対する権利情報とを関連付けてサーバに登録することで、コンテンツデータの権利情報をデータ記録媒体毎に制御することができるようにしている。
【００１８】
ユーザ側では、データ記録媒体の再生などを行う際に、当該データ記録媒体に記録された識別情報をサーバに渡すようにする。サーバでは、渡されたこの識別情報に基づきユーザに対してコンテンツデータの利用権を与える。これにより、ユーザは、識別情報に対応付けられた権利情報に基づき、当該データ記録媒体に記録されたコンテンツデータの再生やコピー、ムーブなどを行うことが可能とされる。
【００１９】
なお、ここで、コピーとは、第１のデータ記録媒体に記録された、著作権が存在するデータが、第２のデータ記録媒体に対して略同一に複製されることをいう。コピーの場合には、複製元のデータが消去されずに残され、複製先のデータおよび複製元のデータは、何れも再生可能な状態とされる。また、ムーブとは、第１のデータ記録媒体に記録された、著作権が存在するデータが、第２のデータ記録媒体に対して略同一に複製され、その際に、複製元のデータが再生不可の状態にされることをいう。
【００２０】
また、データ記録媒体毎に記録される識別情報を、ＵＩＤ（Ｕｎｉｑｕｅ  Ｉｄｅｎｔｉｆｉｅｒ）と称する。ＵＩＤは、データ記録媒体毎にユニークなものであることが望ましい。一例として、当該データ記録媒体を製造した製造所番号、ＵＩＤを追加記録したＵＩＤ書き込み装置番号およびシリアルナンバの組み合わせをＵＩＤとして用いることができる。実用上では、ＵＩＤは、データ記録媒体のメーカ内や、データ記録媒体の型番内でユニークなものでも、差し支えないと考えられる。
【００２１】
例えば、データ記録媒体がＣＤファミリ中のＣＤ−ＤＡである場合には、ＵＩＤは、図１に一例が示されるように、ＣＤ−ＤＡに収録されたアルバムを示すアルバム共通ナンバと、当該アルバムにおけるディスク毎にユニークなシリアルナンバからなる。
【００２２】
勿論、ＵＩＤの構成は上述に限られず、例えばデータ記録媒体が通常のデータやプログラムなどが記録されるＣＤ−ＲＯＭである場合は、アルバム共通ナンバを型番を示す情報などに置き換えることができる。また、アルバム共通ナンバおよびシリアルナンバの２つの情報だけでなく、さらに多くの情報と組み合わせてＵＩＤを構成してもよいし、シリアルナンバだけでＵＩＤを構成することもできる。
【００２３】
このＵＩＤをＣＤに追加記録する一例の方法について説明する。ＵＩＤは、例えば既存のＣＤプレーヤまたはＣＤ−ＲＯＭドライブによって読み取ることが可能なように記録される。先ず、理解を容易とするために、光ディスク例えばＣＤファミリーに属するＣＤ一般の構造について説明する。
【００２４】
図２は、既存のＣＤの一部を拡大して示すものである。所定のトラックピッチＴｐ（例えば１．６μｍ）のトラック上に、ピットと呼ばれる凹部と、ピットが形成されてないランドとが交互に形成されている。ピットおよびランドの長さは、３Ｔ〜１１Ｔの範囲内とされている。Ｔは、最短の反転間隔である。ＣＤには、下側からレーザ光が照射される。
【００２５】
レーザ光が当たる下側から順に、厚さ１．２ｍｍの透明ディスク基板１と、その上に被覆された反射膜２と、反射膜２に被覆された保護膜３とが順に積層された構造とされている。反射膜２は、高い反射率を持つものが使用される。ＣＤは、読み出し専用ディスクであるが、後述するように、反射膜２が被覆された後に、反射膜２に対してレーザ光を使用して情報（ＵＩＤ）が記録される。
【００２６】
このようなＣＤの製造工程の流れを図３を参照して説明する。ステップＳ１では、ガラス板に感光物質であるフォトレジストが塗布されたガラス原盤がスピンドルモータによって回転され、記録信号に応じてオン／オフされたレーザ光がフォトレジスト膜に照射され、マスタが作成される。フォトレジスト膜が現像処理され、ポジ形レジストの場合では、感光された箇所が溶け、凹凸パターンがフォトレジスト膜上に形成される。
【００２７】
フォトレジスト原盤に対してメッキがなされる電鋳処理によって１枚のメタルマスタが作成される（ステップＳ２）。メタルマスタから複数枚のマザーが作成され（ステップＳ３）、さらに、このマザーから複数枚のスタンパが作成される（ステップＳ４）。スタンパを使用してディスク基板が作成される。ディスク基板の作成方法としては、圧縮成形、射出成形、光硬化法等が知られている。そして、ステップＳ６において、反射膜および保護膜が被着される。従来のディスク製造方法では、さらに、ラベル印刷を行うことでＣＤを製作していた。
【００２８】
一方、図３の例では、反射膜（ミラー部例えばランド）に対してレーザ光を照射して、さらに、情報を追加記録する工程Ｓ７が付加される。反射膜上のランドは、レーザ光が照射される熱処理（熱記録）によって原子が移動して膜構造や結晶性が変化し、そこの箇所の反射率が低下する。その結果、ランドであっても、レーザ光が照射された後では、戻りレーザ光が少なくなり、読取装置からは、ピットと同様に認識される。これを利用してピット長またはランド長を変化させ、情報を記録することができる。この場合、反射膜は、反射率がレーザ照射により変化する材料が使用される。反射率が低下するものに限らず、記録によって反射率が高くなる材料もある。
【００２９】
具体的には、アルミニウムの合金膜Ａｌ１００−ｘＸｘで反射膜が構成される。Ｘとしては、Ｇｅ，Ｔｉ，Ｎｉ，Ｓｉ，Ｔｂ，Ｆｅ、Ａｇのうちの少なくとも１種以上の元素が使用される。また、Ａｌ合金膜中の組成比ｘは、５＜ｘ＜５０〔原子％〕に選定される。
【００３０】
また、反射膜をＡｇ１００−ｘＸｘのＡｇ合金膜によって構成することもできる。その場合、Ｘとしては、Ｇｅ，Ｔｉ，Ｎｉ，Ｓｉ，Ｔｂ，Ｆｅ、Ａｌのうちの少なくとも１種以上の元素が使用される。また、Ａｌ合金膜中の組成比ｘは、５＜ｘ＜５０〔原子％〕に選定される。反射膜は、例えばマグネトロンスパッタリング法によって形成できる。
【００３１】
一例として、ＡｌＧｅ合金による反射膜を５０ｎｍの膜厚で形成し、対物レンズを介して透明基板または保護膜側からレーザ光を照射した場合に、Ｇｅの組成比が２０〔原子％〕の場合では、記録パワーが６〜７〔ｍＷ〕の場合に、反射率が６％程度低下し、Ｇｅの組成比が２７．６〔原子％〕の場合では、記録パワーが５〜８〔ｍＷ〕の場合に、反射率が７〜８％程度低下する。このような反射率の変化が生じることによって、反射膜に対する追加記録が可能となる。
【００３２】
図４は、ＵＩＤの追加記録の方法をより具体的に説明するための図である。記録データとピットおよびランドの対応の仕方は、前のパターンとの関係でパターンＡと、パターンＢとがありうる。
【００３３】
最初にパターンＡについて説明する。シンボル間に３ビットの例えばマージビット（０００）が挿入される。追加記録をする場合、８ビットのデータシンボルが例えば（０ｘ４７）とされる。０ｘは、１６進表記を意味する。この８ビットをＥＦＭ（Ｅｉｇｈｔ  ｔｏ  Ｆｏｕｒｔｅｅｎ  Ｍｏｄｕｌａｔｉｏｎ）変調した結果の１４ビットのパターン（００１００１００１００１００）が図４に示されている。
【００３４】
そして、二つのピットの間の斜線領域に対して追加記録用のレーザビームを照射する。その結果、斜線領域の反射率が低下し、記録後では、二つのピットが結合した一つのピットとして再生される。この場合の１４ビットのパターンが（００１００１００００００００）となる。これは、ＥＦＭ復調した場合には、（０ｘ０７）の８ビットとして復調される。
【００３５】
パターンＢの場合では、マージビットが（００１）となる。この場合も、パターンＡと同様に、斜線領域にレーザビームを照射することによって、８ビットを（０ｘ４７）から（０ｘ０７）へと変化させることができる。
【００３６】
上述したように、元々は、（０ｘ４７）であったデータシンボルを（０ｘ０７）へ書き換えることができる。この例以外にも追加記録できるデータの種類としては、多々存在する。例えば元々（０ｘ４０）であったデータシンボルを（０ｘ００）へ変化させることができる。但し、追加記録は、元々記録されているデータのミラー部に対してレーザを照射することによって、ピット長またランド長を変えるものであるので、追加記録できるデータの種類が制限される。
【００３７】
このように追加記録されたＵＩＤは、ＣＤの反射膜を剥がすと失われてしまうので、偽造できない。
【００３８】
この発明の実施の一形態では、ＵＩＤは、例えば工場出荷時にディスク１００に追加記録される。このとき、上述したように、ＵＩＤは、ディスク１００のそれぞれについてユニークなものとされる。また、ＵＩＤがディスク１００上に記録される位置は、予め決められ、その位置を示す位置情報が例えばディスク１００上のＴＯＣ（Ｔａｂｌｅ  Ｏｆ  Ｃｏｎｔｅｎｔｓ）領域に記録される。
【００３９】
次に、この発明の実施の一形態によるシステムを、図５および図６を用いて概略的に説明する。図５において、専用端末装置１０は、例えばディスク１００を販売している店舗に設置される端末装置である。専用端末装置１０は、例えば一般的なコンピュータ装置と略同様の構成を有し、さらに、ディスク１００に記録されたＵＩＤを読み取ることができるドライブ装置が搭載されている。
【００４０】
専用端末装置１０は、専用の通信回線（以下、専用線と称する）で管理サーバ２０と接続される。勿論、専用線に限らず、公衆電話回線などを介して管理サーバ２０に接続するようにしてもよい。管理サーバ２０は、一般的なサーバ装置と略同様の構成からなり、後述する、ＵＩＤとディスク１００の属性情報とを関連付けるデータベースを有すると共に、ＵＩＤにより特定されるディスク１００の利用可能情報を管理する。
【００４１】
例えばユーザが販売店でディスク１００を購入する際に、購入するディスク１００の利用権が選択される。ディスク１００の利用権は、例えば、当該ディスク１００に収録されているコンテンツの再生可能回数、再生有効期限およびコピー可能回数からなる。ユーザから販売店に対して、選択された利用権に対応する金額が支払われるようにすると、好ましい。
【００４２】
また、ディスク１００の利用権の選択と共に、ディスク１００が専用端末装置１０に装填され、専用端末装置１０によりディスク１００に記録されたＵＩＤが読み取られる。読み取られたＵＩＤは、選択された利用権と共に、専用線を介して管理サーバ２０に送信される。利用権は、ユーザの、当該ＵＩＤで特定されるディスク１００に対する利用可能情報として、ＵＩＤと関連付けられて管理サーバ２０に記憶され、ＵＩＤおよび利用可能情報が管理情報として管理サーバ２０に登録される。
【００４３】
ユーザが上述のようにして購入したディスク１００を利用する際には、購入時に登録されたＵＩＤおよび利用権に基づき、ディスク１００を利用可能とする鍵を管理サーバ２０から入手する。図６において、情報端末装置３０は、ユーザ側の端末装置であって、例えば一般的なコンピュータ装置の構成からなり、さらに、所定の鍵を入手することによりディスク１００を利用可能とするドライブ装置を有する。
【００４４】
情報端末装置３０は、例えば、ＡＤＳＬ（Ａｓｙｍｍｅｔｒｉｃ  Ｄｉｇｉｔａｌ  Ｓｕｂｓｃｒｉｂｅｒ  Ｌｉｎｅ）やＩＳＤＮ（Ｉｎｔｅｇｒａｔｅｄ  Ｓｅｒｖｉｃｅｓ  Ｄｉｇｉｔａｌ  Ｎｅｔｗｏｒｋ）といった、公衆電話回線を用いた通信方式や、ＣＡＴＶ（Ｃａｂｌｅ  Ｔｅｌｅｖｉｓｉｏｎ）の回線を用いた通信方式で以てインターネット３１に接続される。インターネット３１には、上述の管理サーバ２０も例えば専用線を介して接続される。すなわち、情報端末装置３０は、インターネット３１を介して管理サーバ２０と通信を行うことが可能とされる。
【００４５】
ディスク１００が情報端末装置３０に装填されると、ディスク１００に記録されたＵＩＤが読み出される。読み出されたＵＩＤは、インターネット３１を介して管理サーバ２０に送信される。管理サーバ２０では、送信されたＵＩＤに関連付けられた利用可能情報に基づく鍵が生成されると共に、利用可能情報が、例えば利用権が一つ消費された状態として書き換えられる。生成された鍵情報は、インターネット３１を介して情報端末装置３０に送信される。情報端末装置３０では、管理サーバ２０から送信された鍵に基づきディスク１００を利用可能とされる。
【００４６】
図７および図８を用いて、管理サーバ２０に登録される管理情報についてより具体的に説明する。管理サーバ２０において、管理情報は、ＵＩＤ毎に登録され管理される。一例として、ディスク１００がＣＤ−ＤＡである場合には、図７の「管理情報」の項に示されるように、ＵＩＤを構成するデータのうち、アルバム共通ナンバに対して当該アルバム共通ナンバで示されるアルバムの属性情報が関連付けられる。アルバムの属性情報は、例えば、当該アルバムに関して、ディスクが製造されたスタンプ工場情報、制作を行ったレーベル名、アルバム名、アーティスト名、リリース日情報からなる。
【００４７】
一方、ＵＩＤを構成するデータのうち、ディスク毎のシリアルナンバに対して、利用可能情報が関連付けられる。図７および後述する図８では、利用可能情報がディジタル著作権管理（ＤＲＭ：Ｄｉｇｉｔａｌ  Ｒｉｇｈｔｓ  Ｍａｎａｇｅｍｅｎｔ）情報として示されている。この利用可能情報に基づき、当該ＵＩＤにより特定されるディスクに収録されたコンテンツに対し、再生する権利や、コピー、ムーブする権利が管理される。すなわち、管理サーバ２０では、ＵＩＤにより、ディスクの利用形態をディスク毎に管理することが可能とされる。
【００４８】
図８Ａは、この発明の実施の一形態における利用可能情報（ＤＲＭ情報）の一例の構成を示す。この例では、利用可能情報は、この利用可能情報で管理されるディスク１００に収録されたコンテンツに対する再生可能回数、再生有効期間およびコピー可能回数からなる。ＤＲＭ情報がディスク１００毎のシリアルナンバと関連付けられることで、コンテンツに対する利用権をディスク１００毎に制御することができる。
【００４９】
例えば、工場出荷時などにディスク１００に対してＵＩＤが記録されると、ＵＩＤと、当該ＵＩＤが記録されたディスク１００の属性情報とが、ディスク１００毎すなわちＵＩＤ毎に管理サーバ２０に記憶される。このとき、ＵＩＤのディスク毎のシリアルナンバに対して、デフォルトの利用可能情報が関連付けられ、記憶される。デフォルトの利用可能情報は、図８Ｂに一例が示されるように、再生可能回数および再生有効期間が無制限（ｕｎｌｉｍｉｔｅｄ）、コピー可能回数が１回（ｏｎｃｅ）などとされる。こうして、ＵＩＤ毎のデフォルトの管理情報が管理サーバ２０に登録される。
【００５０】
このようにして管理サーバ２０に利用権情報が登録されたディスク１００が販売店に卸され、ユーザに購入される。その際、上述したように、店舗側の専用端末装置１０によりディスク１００のＵＩＤが読み取られると共に、ユーザにより利用権が選択され、ディスク１００に収録されたコンテンツに対する利用権が設定される。
【００５１】
ユーザが選択可能な利用権は、例えば、再生可能回数が無制限、１０回および５回の何れか、再生有効期限が無制限および１ヶ月間の何れか、コピー可能回数が無制限、３回、１回および０回（コピー不可）の何れか、などとされる。ユーザが支払う金額に応じてより自由度の高い利用権を選択可能とするようにできる。一例として、再生可能回数および再生有効期限が無制限、コピー可能回数が０回の組み合わせを店舗側のデフォルト設定としておき、ユーザが支払う金額に応じて、このデフォルト設定に対してコピー可能回数を増加していくことが考えられる。
【００５２】
このようにして、ディスク購入時にユーザにより選択された利用権と、当該利用権を設定したディスク１００のＵＩＤとが管理サーバ２０に送信される。これらの情報は、管理サーバ２０に受信され、管理サーバ２０において、ＵＩＤにより特定される管理情報が、受信された利用権に基づき書き換えられる。
【００５３】
管理サーバ２０では、図７の「管理情報の書き換え」の項に示されるように、管理情報のうち、ディスク毎のシリアルナンバに関連付けられる利用可能情報（ＤＲＭ情報）が書き換えられる。アルバム共通ナンバに関連付けられる当該アルバムの属性情報は、書き換えられない。この、店舗でのディスク１００の購入時の通信に基づく書き換えにより、利用可能情報が初期設定される。利用可能情報が初期設定されることにより、当該ディスク１００に対する利用権が活性化され、ユーザは、当該ディスク１００を購入時に設定した利用権に基づき、当該ディスク１００に収録されたコンテンツを利用可能な状態とされる。
【００５４】
また、購入されたディスク１００は、ユーザにより情報端末装置３０に装填され、購入時に設定された利用権に従い収録されたコンテンツの再生やコピーなどがなされ、利用される。このディスク１００の利用毎に、情報端末装置３０と管理サーバ２０との間で通信が行われ、管理サーバ２０に管理されている、利用されたディスク１００のＵＩＤに対応する管理情報のうち利用可能情報が書き換えられる。
【００５５】
例えば、利用可能情報においてコピー可能回数が５回に設定され、情報端末装置３０におけるディスク１００の利用が１回のコピーであれば、管理サーバ２０上のコピー可能回数が１回分減ぜられて４回とされる。また例えば、利用可能情報において再生可能回数が無制限に設定されていれば、情報端末装置３０におけるディスク１００の利用が１回の再生である場合には、管理サーバ２０上の再生可能回数は書き換えられない。
【００５６】
図９は、上述の、ディスク１００の利用時に、情報端末装置３０および管理サーバ２０で行われる一例の処理を示す。先ず、ユーザによりディスク１００が情報端末装置３０に装填される。情報端末装置３０では、装填されたディスク１００が再生され（ステップＳ１０）、ディスク１００に記録されているＵＩＤが読み取られる（ステップＳ１１）。ＵＩＤが読み取られると、ステップＳ１２で、情報端末装置３０がインターネット３１を介して管理サーバ２０と自動的に接続され、読み取られたＵＩＤが管理サーバ２０に対して送信される（ＳＥＱ１０）。
【００５７】
なお、管理サーバ２０のインターネット３１上での位置（ＵＲＬ（Ｕｎｉｆｏｒｍ  Ｒｅｓｏｕｒｃｅ  Ｌｏｃａｔｏｒ））は、ディスク１００の所定の領域に予め記録しておくことができる。例えばステップＳ１１のＵＩＤの読み取りの際に、当該領域のアクセスもなされ、ＵＲＬが読み取られる。所定領域としては、例えばサブコードエリアを用いることができる。これに限らず、ＵＩＤの情報として、ＵＲＬをさらに記録することも可能である。また、管理サーバ２０のＵＲＬを、情報端末装置３０が有する不揮発性の記憶手段に予め記憶しておくこともできる。
【００５８】
ＳＥＱ１０で送信されたＵＩＤは、ステップＳ２０で、管理サーバ２０に受信される。管理サーバ２０では、次のステップＳ２１で、受信されたＵＩＤに対応する管理情報が検索される。そして、検索された管理情報から当該ＵＩＤが記録されたディスク１００に収録されたコンテンツに関する利用可能情報が抜き出される。次のステップＳ２２で、抜き出された利用可能情報が情報端末装置３０に対して送信される（ＳＥＱ１１）。
【００５９】
ＳＥＱ１１で管理サーバ２０から送信された利用可能情報は、ステップＳ１３で、情報端末装置３０に受信される。情報端末装置３０では、情報端末装置３０が有する表示手段に対して、受信された利用可能情報に基づき、情報端末装置３０に装填されステップＳ１０で再生されたディスク１００の利用形態の選択を促す表示がなされる（ステップＳ１４）。
【００６０】
例えば、受信された利用可能情報として、再生可能回数および再生有効期間が無制限、コピー可能回数が５回と設定されていれば、情報端末装置３０の表示手段に対してその旨が表示されると共に、ディスク１００の再生を行うか、ディスク１００に収録されたコンテンツの他の記録媒体へのコピーを行うか、または、何も行わないかを指定する表示がなされる。
【００６１】
また例えば、受信された利用可能情報として、再生可能回数が５回、再生有効期間があと２５日、コピー可能回数が０回と設定されていれば、その旨が表示されると共に、ディスク１００の再生を行うか否かを指定する表示がなされる。この場合には、コピー可能回数が０回で、コピー不可とされているため、コピーを指定することができないようにされる。
【００６２】
ステップＳ１４での表示に従いユーザにより情報端末装置３０に装填されたディスク１００の利用形態が選択されると、次のステップＳ１５で、選択された利用形態に基づくリクエストが情報端末装置３０から送信される。なお、ここでは、ディスク１００の利用形態として、ディスク１００に収録されたコンテンツの他の記録媒体へのコピーが選択されたものとする。
【００６３】
リクエストは、ＳＥＱ１２により情報端末装置３０から管理サーバ２０へ送信され、ステップＳ２３で、管理サーバ２０に受信される。リクエストが管理サーバ２０に受信されると、次のステップＳ２４で、管理サーバ２０において、受信されたリクエストに基づき、管理サーバ２０で管理されている利用可能情報が書き換えられる。
【００６４】
例えば、管理サーバ２０で管理されている利用可能情報においてコピー可能回数が５回に設定され、リクエストが、当該ＵＩＤの記録されているディスク１００に収録されているコンテンツを他の記録媒体へ１回コピーする旨を示していれば、利用可能情報のコピー可能回数が１回分減ぜられて、４回に書き換えられる。
【００６５】
なお、ユーザにより、コピーによるディスク１００の利用が繰り返された結果、利用可能情報のコピー可能回数が０回に書き換えられると、そのユーザは、当該ディスク１００について、収録されたコンテンツを他の記録媒体へコピーする権利を失うことになる。
【００６６】
また、ステップＳ２４では、リクエストされた利用形態でユーザがディスク１００を利用可能なようにするための鍵が生成される。この例では、情報端末装置３０において当該ＵＩＤが記録されたディスク１００に収録されたコンテンツの他の記録媒体へのコピーを可能とするような鍵が生成される。
【００６７】
ステップＳ２４で生成された鍵は、同じくステップＳ２４で書き換えられた利用可能情報に基づく権利情報と共に、管理サーバ２０から情報端末装置３０へ送信される（ステップＳ２５・ＳＥＱ１３）。これら鍵および権利情報は、ステップＳ１６で情報端末装置３０に受信される。情報端末装置３０では、受信された鍵を用い、権利情報に示される利用権に従って、ディスク１００が利用される（ステップＳ１７）。
【００６８】
権利情報は、例えば、対象とされるコンテンツを示す情報と、当該コンテンツに対して可能な利用形態を示す情報とを含む。受信された権利情報を情報端末装置３０の表示手段に表示させ、ユーザが当該権利情報に示される内容に同意するか否かを指定するようにしてもよい。
【００６９】
鍵は、例えば、情報端末装置３０に対して所定の動作を制御するフラグとして機能する。これに限らず、例えばディスク１００に収録されたコンテンツが暗号化されたものとし、鍵は、この暗号化の解除鍵としてもよい。この場合、鍵をＵＩＤを用いて生成し、情報端末３０側で管理サーバ２０から送信される鍵とディスク１００に記録されたＵＩＤとを組み合わせることで、実際にコンテンツの暗号化を解除する鍵をなすようにすることもできる。
【００７０】
この図９により説明した一連の処理は、ユーザへの表示やユーザによる入力処理以外は、全てバックグラウンドでの実行、すなわち、ユーザが関与しない状態で自動的に実行されるのが好ましい。こうすることで、ユーザは、ディスク１００を後述するデータ再生装置２００に装填し、当該ディスクの利用形態を選択するだけで済む。
【００７１】
なお、上述では、ＵＩＤ毎の管理情報を全て管理サーバ２０上で管理するように説明したが、これはこの例に限定されず、管理情報をユーザ側の情報端末装置３０上に移しておくこともできる。
【００７２】
例えば、あるＵＩＤに対応した利用可能情報において、コピー可能回数が１０回に設定されている場合に、３回分の利用可能情報を情報端末装置３０側に移し、７回分の利用可能情報を管理サーバ２０側に残す。こうすることで、当該ＵＩＤが記録されたディスク１００に収録されたコンテンツのコピーに際して、ユーザは、最初の３回のコピーに対しては、情報端末装置３０内の管理情報を書き換えるだけで済み、管理サーバ２０にアクセスする必要が無い。この場合、例えば、上述した図９における管理サーバ２０側の処理が情報端末装置３０側で全て行われることになる。
【００７３】
情報端末装置３０内の管理情報におけるコピー可能回数が０回になった後は、上述の図９に示される手順に従って管理サーバ２０にその都度、アクセスして、鍵および権利情報を得るようにする。
【００７４】
なお、管理情報を情報端末装置３０側に移す場合、管理情報は、容易に改竄できないように、情報端末装置３０内に記憶される。これは、例えば、情報端末装置３０内に、管理情報を記憶させるための専用の不揮発性メモリを設けることで可能である。これに限らず、管理情報を独自の形式で情報端末装置３０が有するハードディスクドライブなどに書き込み、専用のソフトウェアでのみ、アクセス可能としてもよい。
【００７５】
図１０は、この発明の実施の一形態に適用可能なデータ再生装置の一例の構成を示す。このデータ再生装置２００は、例えば上述の情報端末装置３０に組み込まれて用いられる。このデータ再生装置２００の全体は、ＣＰＵ（Ｃｅｎｔｒａｌ  Ｐｒｏｃｅｓｓｉｎｇ  Ｕｎｉｔ）４０により制御される。図示しないが、ＣＰＵ４０は、ワークメモリとしてのＲＡＭや、ファームウェアなどのプログラムが予め記録されたＲＯＭを有し、ＲＯＭに記録されたプログラムに従い装置の制御を行う。また、ＣＰＵ４０は、情報端末装置３０の本体とのインターフェイスを有し、情報端末装置３０からの操作によりこのデータ再生装置２００を制御することができるようになっている。
【００７６】
光学系ＯＰ７０は、ディスク１００に記録されたデータを再生するための光学ピックアップ部、光学ピックアップのパワー制御やフォーカス制御を行う制御回路、光学ピックアップの位置制御を行うスレッドモータドライブとその制御回路などを含む。図示しないが、光学ピックアップ部は、対物レンズと、レーザ光源と、装填されたディスク１００から反射されたレーザ光を受光する受光部とを備える光学ブロックと、受光部に受光されたレーザ光を電気信号に変換する変換部とを有する。
【００７７】
モータＭ５４は、データ再生装置２００に装填されたディスク１００を回転駆動するスピンドルモータである。これら光学系ＯＰ７０およびモータ５４は、サーボ回路５５により所定に制御される。サーボ回路５５は、ＣＰＵ４０により制御される。
【００７８】
再生系において、サーボ回路５５の制御によりディスク１００がＣＬＶ制御により回転駆動される。光学系ＯＰ７０においてレーザ光源のレーザ出力が再生に適する強さに制御され、ディスク１００に対してレーザ光が照射される。このレーザ光がディスク１００で反射された反射光が受光部に受光され、電気信号に変換される。電気信号に変換された再生信号は、光学系ＯＰ７０から出力され、ＲＦ部５０に供給される。再生信号は、ＲＦ部５０により、波形整形処理などの所定の信号処理を施され、再生ディジタル信号とされる。
【００７９】
なお、ＲＦ部５０は、さらに、光学系ＯＰ７０から出力された再生信号からクロックを抽出し、サーボ回路５５に供給する。
【００８０】
ＲＦ部５０から出力された再生ディジタル信号は、ＥＦＭ復調回路５１に供給されて記録時に施されたＥＦＭが復調され、再生ディジタルデータとされる。この再生ディジタルデータは、ＣＩＲＣエラー訂正回路５２に供給されると共に、ＴＯＣ読み出し回路５６に供給される。
【００８１】
ＣＩＲＣエラー訂正回路５２では、供給された再生ディジタルデータのＣＩＲＣ（Ｃｒｏｓｓ  Ｉｎｔｅｒｌｅａｖｅ  Ｒｅｅｄ−Ｓｏｌｏｍｏｎ  Ｃｏｄｅ）方式によるエラー訂正符号が復号化され、エラー訂正される。ＣＩＲＣエラー訂正回路５２でエラー訂正された再生データは、ＣＤ−ＲＯＭデコーダ５３に供給され、ＣＤ−ＲＯＭ用に施されたエラー訂正符号が復号化されて、さらにエラー訂正される。ＣＤ−ＲＯＭデコーダ５３から出力された出力データは、スイッチ回路５８に供給される。
【００８２】
一方、ＴＯＣ読み出し回路５６では、光学系ＯＰ７０においてディスク１００のリードインがアクセスされたときに、供給された再生ディジタルデータからＴＯＣのデータが読み出される。読み出されたＴＯＣデータは、ＵＩＤ領域把握回路５７に供給される。ＵＩＤ領域把握回路５７では、供給されたＴＯＣデータからＵＩＤの記録位置を示す情報が読み取られる。
【００８３】
ＵＩＤ領域把握回路５７から出力された、ＵＩＤの記録位置を示す位置情報は、ＣＰＵ４０に供給される。ＣＰＵ４０では、この位置情報に基づきスイッチ回路５８を制御する。すなわち、位置情報に基づき、ＣＤ−ＲＯＭデコーダ５３からＵＩＤが出力されるタイミングでスイッチ回路５８において端子５８Ｂが選択されるように制御される。それ以外のタイミングでは、スイッチ回路５８は、端子５８Ａが選択されるように制御される。スイッチ回路５８の端子５８Ａの出力は、スイッチ回路６４を介して出力端６１に導出される。
【００８４】
一方、スイッチ回路５８の端子５８Ｂの出力は、ＵＩＤ読み出し回路５９に供給される。ＵＩＤ読み出し回路５９では、供給されたデータからＵＩＤが読み出される。読み出されたＵＩＤは、ＣＰＵ４０に供給されメモリ４１の所定領域に記憶されると共に、端子６２に導出される。端子６２に導出されたＵＩＤは、上述したように、管理サーバ２０に送信される。例えば、端子６２に導出されたＵＩＤは、情報端末装置３０本体に渡され、情報端末装置３０本体が有する通信機能を利用して、インターネット３１に向けて送信される。データ再生装置２００そのものがインターネット３１に対する通信機能を有していてもよい。
【００８５】
ディスク１００から読み出され情報端末装置３０から送信されたＵＩＤに基づき、情報端末装置３０および管理サーバ２０において、図９を用いて説明したような処理が行われる。この処理により、管理サーバ２０から情報端末装置３０に対して鍵および権利情報が送信される（図９のＳＥＱ１３）。この信号は、情報端末装置３０に受信され、端子６３からデータ再生装置２００に入力され、ＵＩＤ／権利情報／鍵情報受信回路６０に供給される。ＵＩＤ／権利情報／鍵情報受信回路６０において、供給されたこの受信信号から、鍵および権利情報が抜き出される。抜き出された鍵および権利情報は、ＣＰＵ４０に渡され、メモリ４１に記憶される。
【００８６】
この鍵および／または権利情報に基づき、ＣＰＵ４０により、このデータ再生装置２００に装填されているディスク１００の再生を制御する制御信号が出力される。例えば、鍵および／または権利情報がディスク１００に収録されたコンテンツの再生を許可しない内容であれば、ＣＰＵ４０から、スイッチ回路６４をオフ状態（開状態）に制御するような制御信号が出力される。
【００８７】
これにより、ディスク１００から再生されたデータがデータ再生装置２００の外部に出力されなくなり、ディスク１００に収録されたコンテンツの再生および他の記録媒体へのコピーが不能の状態とされる。
【００８８】
なお、図示は省略するが、ディスク１００がＣＤ−ＤＡである場合には、ＣＩＲＣエラー訂正回路５２から出力データが取り出される。この出力データは、上述のスイッチ回路５８およびスイッチ回路６４にそれぞれ対応する回路を介して、外部に出力される。同様に、この出力データは、所定のタイミングで、スイッチ回路５８に対応する回路を介してＵＩＤ読み出し回路５９に供給され、ＵＩＤが読み出される。
【００８９】
また、鍵および／または権利情報による再生制御は、スイッチ回路６４のオン／オフ状態の制御に限られず、例えばＣＤ−ＲＯＭデコーダ５３の動作を制御することによって行うこともできる。
【００９０】
さらに、図９のＳＥＱ１３において、鍵および権利情報と共に、ＳＥＱ１０で情報端末装置３０から管理サーバ２０に対して送信されたＵＩＤを、管理サーバ２０から情報端末装置３０へ送信してもよい。このＵＩＤは、情報端末装置３０に受信されると、端子６３からＵＩＤ／権利情報／鍵情報受信回路６０に供給され、ＣＰＵ４０に渡される。ディスク１００がデータ再生装置２００に装填された際にＴＯＣから読み出され、メモリ４１に記憶されたＵＩＤと、管理サーバ２０から送信されたＵＩＤとを比較することで、情報端末装置３０と管理サーバ２０との間の通信処理が正しく行われているかどうかを確認することができる。
【００９１】
さらにまた、ＳＥＱ１３で管理サーバ２０から送信されたＵＩＤを情報端末装置３０側で受信した際に、データ再生装置２００に装填されたディスク１００からＵＩＤを再度読み出し、読み出されたＵＩＤと管理サーバ２０から送信されたＵＩＤとを比較するようにしてもよい。こうすることで、正当なディスクに対して鍵および権利が与えられたか否かを判断することができる。
【００９２】
また、ディスク１００に収録されたコンテンツの他の記録媒体へのコピーの制御は、コピー先の記録媒体が装填されるデータ記録装置を、このデータ再生装置２００から制御することによってもなし得る。図１１を用いて、データ再生装置２００からデータ記録装置３００を制御する一例の方法について説明する。データ記録装置３００は、入力されたデータを、例えばＣＤ−ＲやＣＤ−ＲＷといった記録媒体３０２に、ＣＰＵ３０１に制御に基づき記録する。
【００９３】
なお、図１１において、上述した図１０と共通する部分には同一の符号を付して、詳細な説明を省略する。また、図１１では、繁雑さを避けるため、データ再生装置２００は、全体を制御するＣＰＵ４０のみを示し、他の構成を省略する。同様に、データ記録装置３００も、全体を制御するＣＰＵ３０１のみを示し、他の構成を省略する。
【００９４】
データ再生装置２００によりディスク１００が再生された出力データがデータ記録装置３００に供給される。一方、データ再生装置２００において、ディスク１００の再生に伴い、管理サーバ２０（図示しない）との間で図９を用いて説明したような処理が行われる。この処理により管理サーバ２０から送信された鍵および権利情報に基づき、ＣＰＵ４０により、ディスク１００に収録されたコンテンツの他の記録媒体へのコピーを制御する制御信号が出力される。この制御信号は、データ記録装置３００のＣＰＵ３０１に供給される。
【００９５】
ＣＰＵ３０１では、データ再生装置２００のＣＰＵ４０から供給された制御信号に基づき、データ記録装置３００に入力されたデータを記録媒体３０２に記録するか否かの制御を行う。このようにすることで、データ再生装置２００側からデータ記録装置３００による記録媒体３０２へのデータの記録を制御することができ、ディスク１００に記録されたＵＩＤに基づき、ディスク１００に収録されたコンテンツの他のコンテンツへのコピーを制限することが可能とされる。
【００９６】
ここでは、記録媒体３０２がＣＤ−ＲやＣＤ−ＲＷといった光ディスクとしているが、これはこの例に限定されず、記録媒体３０２は、ハードディスクドライブ、半導体メモリ、光磁気ディスクなどの、ディジタルデータが記録可能な他の記録媒体であってもよい。また、データ記録装置３００は、コンピュータ装置などの情報端末装置に組み込まれて用いられるものでもよいし、単独で動作可能な機器であってもよい。さらに、データ記録装置３００は、データ再生装置２００と共に情報端末装置３０に組み込まれてもよいし、情報端末装置３０に接続され、データ再生装置２００と共に用いることが可能なようにされていてもよい。
【００９７】
なお、上述では、ディスク１００が一般のユーザによるデータの記録ができないＣＤであるとして説明したが、これはこの例に限定されない。例えば、ディスク１００がＣＤ−Ｒであっても、ファイナライズ済みであればユーザによるデータの追加記録を行うことができない。したがって、ファイナライズ済みＣＤ−Ｒとしてコンテンツを販売するような場合にも、この発明を適用することができる。
【００９８】
【発明の効果】
以上説明したように、この発明によれば、ＵＩＤによりディスク毎の識別を行うことができると共に、ＵＩＤ毎の管理情報がサーバに格納されているため、同一のコンテンツが記録されているディスクのそれぞれに対して異なったサービスを提供することができるという効果がある。
【００９９】
例えば、同一のコンテンツが記録されたディスクでも、ユーザが支払った金額に応じた価値をディスク毎に付与することができる効果がある。
【０１００】
また、この発明の実施の一形態によれば、ＵＩＤによりディスク毎の識別を行うことができると共に、ＵＩＤ毎の権利情報がサーバに格納されているため、ディスクに記録されているコンテンツの著作権を、ディスク毎に管理することができる効果がある。
【図面の簡単な説明】
【図１】ＵＩＤの一例の構成を示す略線図である。
【図２】既存のＣＤの一部を拡大して示す略線図である。
【図３】ＣＤの製造工程の流れを説明するためのフローチャートである。
【図４】ＵＩＤの追加記録の方法をより具体的に説明するための略線図である。
【図５】この発明の実施の一形態によるシステムを説明するための略線図である。
【図６】この発明の実施の一形態によるシステムを説明するための略線図である。
【図７】管理サーバにおいて管理される管理情報の一例を示す略線図である。
【図８】この発明の実施の一形態における利用可能情報の一例の構成を示す略線図である。
【図９】ディスクの利用時に情報端末装置および管理サーバで行われる一例の処理を示すシーケンスチャートである。
【図１０】この発明の実施の一形態に適用可能なデータ再生装置の一例の構成を示すブロック図である。
【図１１】データ再生装置からデータ記録装置を制御する一例の方法について説明するための図である。
【符号の説明】
１０・・・専用端末装置、２０・・・管理サーバ、３０・・・情報端末装置、３１・・・インターネット、４０・・・ＣＰＵ、４１・・・メモリ、５６・・・ＴＯＣ読み出し回路、５７・・・ＵＩＤ領域把握回路、５８，６４・・・スイッチ回路、５９・・・ＵＩＤ読み出し回路、６０・・・ＵＩＤ／権利情報／鍵情報受信回路、１００・・・ディスク、２００・・・データ再生装置、３００・・・データ記録装置、３０１・・・ＣＰＵ、３０２・・・記録媒体
【図１】
2004158082.tif 000003
【図２】
2004158082.tif 000004
【図３】
2004158082.tif 000005
【図４】
2004158082.tif 000006
【図５】
2004158082.tif 000007
【図６】
2004158082.tif 000008
【図７】
2004158082.tif 000009
【図８】
2004158082.tif 000010
【図９】
2004158082.tif 000011
【図１０】
2004158082.tif 000012
【図１１】
2004158082.tif 000013